(57)【要約】      （修正有）【課題】採血針取付部の部品点数が２部品でも従来と同一の機能を達成する採血管ホルダーを提供する。【解決手段】固定部材３０と固定部材３０の長手方向に沿って移動可能な可動部材４０からなる採血針取付部２０を備え、固定部材３０の中央に形成され、その内面に採血用注射針の雄ネジ部と係合する係止突起が突設されたストッパーブロックが立設され、可動部材４０におけるストッパーブロックと対向する孔部の内面に雄ネジ部に係合する１対の係止突起が突設されている。また、各係合突起の位置関係は、可動部材４０の移動によって採血針の雄ネジ部を係合する際に、ホルダー本体１０の端面側から見たときに略三角形状を成している。【選択図】図２
0003150575.tif 000002
【実用新案登録請求の範囲】
【請求項１】
ホルダー本体に形成された一対のガイド片の内側における前記ホルダー本体の端面に開口された係止孔に係合する係止爪を一体に突設した固定部材と、
該固定部材における長手方向の両側端に形成されたガイド溝内に嵌合され、且つ前記ホルダー本体の端面の間に狭持状態に配置されて当該固定部材の長手方向に沿って移動可能な可動部材からなる採血針取付部を備え、
該採血針取付部によって採血針本体と、該本体の基部を装着したハブに一体化されたフランジの背面に一体に形成された雄ネジ部を備えた採血用注射針を着脱自在とする採血管ホルダーであって、
前記固定部材の中央には、その上下方向を貫通した取付孔が形成され、前記ガイド溝の内底面には略半円筒状をなし、その内面が当該取付孔を共有する面であり、且つ当該内面に前記雄ネジ部と係合する係止突起が突設されたストッパーブロックが立設され、
前記可動部材は、前記固定部材の外側に突出する左右一対の押ボタン部と、該両押ボタン部を連結するばね兼用の一対の連結片を備え、当該可動部材における略中心部分に前記雄ネジ部が挿入される孔部が形成され、前記ストッパーブロックと対向する前記孔部の内面には前記雄ネジ部に係合する一対の係止突起が突設され、
前記可動部材の移動により、前記固定部材に形成された係合突起及び可動部材に形成された一対の係合突起で前記採血用注射針の雄ネジ部を３方向から係合して挟持することを特徴とする採血管ホルダー。
【請求項２】
前記固定部材に形成された係合突起及び可動部材に形成された一対の係合突起は、前記可動部材の移動によって前記採血用注射針の雄ネジ部に対して３方向から係合したときに、前記ホルダー本体の端面側から見たときの位置関係が略三角形状を成すように突設されていることを特徴とする請求項１記載の採血管ホルダー。
【請求項３】
前記可動部材における連結部の外側側面には係止片を突出形成するとともに、前記固定部材における一方の側面部の内側には、前記採血用注射針の着脱時に前記係止片を受け入れる１対の係止用窪みが形成されていることを特徴とする請求項１又は２記載の採血管ホルダー。
【考案の詳細な説明】
【技術分野】
【０００１】
本考案は、採血管ホルダーに関し、特にその採血装着部の改良に係るものである。
【背景技術】
【０００２】
図１に示すように、採血用注射針１は、採血針本体２と、本体の基部を装着し、且つ周囲にリブを一体化したハブ３と、ハブ３に一体化されたフランジ４と、フランジ４の背面に一体に形成された雄ネジ部５を備えている。そして、採血を行う際、従来では採血用注射針１の基部に設けたハブ３の雄ネジ部５を採血管ホルダーの先端等に形成された雌ねじ部に螺合して装着している。しかし、このような接続形態では、使用後に針を外す際に、針を螺合解消方向に回しているため、採血用注射針１の着脱動作が煩雑になるとともに、誤って針で掌や指などを傷つけることによる感染の虞があった。
【０００３】
そこで、従来では簡単に採血用注射針１を採血管ホルダーから容易に着脱することのできる構造が開発されている（特許文献１，２，３を参照）。これらはいずれも、押ボタン操作により採血針の取付を行い、反対方向への押ボタン操作により取り外すことができ、採血針に直接手を触れることなく、回収箱などに落下させて廃棄することができる。
【先行技術文献】
【特許文献】
【０００４】
【特許文献１】特開２００１−２３１７７２号公報
【特許文献２】特開２０００−１７５８８８号公報
【特許文献３】特開２０００−６０８２７号公報
【考案の概要】
【考案が解決しようとする課題】
【０００５】
しかしながら、これら構造においては、採血針装着部の部品は、針取付孔を形成した部品と、この部品に対してスライド可能であり、且つ針取付孔を拡縮させるための押ボタン部品、及びこれら各部品を採血管ホルダーに固定するための取付ベースが必要であり、少なくとも３部品以上となり、構成部品そのものが小さいため、組立が面倒で時間を要していた。また部品数が多いため、製造コストが高いなどの欠点があった。
【０００６】
本考案は、以上の欠点を解消するためになされたものであり、その目的は採血針装着部の部品点数が２部品でも従来と同一の機能を達成でき、組立が簡単で安価にできるようにした採血管ホルダーを提供するものである。
【課題を解決するための手段】
【０００７】
上記目的を達成するため、本考案の採血管ホルダーは、ホルダー本体に形成された一対のガイド片の内側における前記ホルダー本体の端面に開口された係止孔に係合する係止爪を一体に突設した固定部材と、
該固定部材における長手方向の両側端に形成されたガイド溝内に嵌合され、且つ前記ホルダー本体の端面の間に狭持状態に配置されて当該固定部材の長手方向に沿って移動可能な可動部材からなる採血針取付部を備え、
該採血針取付部によって採血針本体と、該本体の基部を装着したハブに一体化されたフランジの背面に一体に形成された雄ネジ部を備えた採血用注射針を着脱自在とする採血管ホルダーであって、
前記固定部材の中央には、その上下方向を貫通した取付孔が形成され、前記ガイド溝の内底面には略半円筒状をなし、その内面が当該取付孔を共有する面であり、且つ当該内面に前記雄ネジ部と係合する係止突起が突設されたストッパーブロックが立設され、
前記可動部材は、前記固定部材の外側に突出する左右一対の押ボタン部と、該両押ボタン部を連結するばね兼用の一対の連結片を備え、当該可動部材における略中心部分に前記雄ネジ部が挿入される孔部が形成され、前記ストッパーブロックと対向する前記孔部の内面には前記雄ネジ部に係合する一対の係止突起が突設され、
前記可動部材の移動により、前記固定部材に形成された係合突起及び可動部材に形成された一対の係合突起で前記採血用注射針の雄ネジ部を３方向から係合して挟持することを特徴とする。
【０００８】
請求項２記載の採血管ホルダーは、請求項１記載の採血管ホルダーにおいて、前記固定部材に形成された係合突起及び可動部材に形成された一対の係合突起は、前記可動部材の移動によって前記採血用注射針の雄ネジ部に対して３方向から係合したときに、前記ホルダー本体の端面側から見たときの位置関係が略三角形状を成すように突設されていることを特徴とする。    
【０００９】
請求項３記載の採血管ホルダーは、請求項１又は２記載の採血管ホルダーにおいて、前記可動部材における連結部の外側側面には係止片を突出形成するとともに、前記固定部材における一方の側面部の内側には、前記採血用注射針の着脱時に前記係止片を受け入れる１対の係止用窪みが形成されていることを特徴とする。
【考案の効果】
【００１０】
本考案によれば、採血針装着部が固定部材と可動部材との部品で構成されているため、部品点数が少なく、組立工程も極めて簡単となり、且つ安価に製造することができる。また、固定部材と可動部材に形成された３つの係合突起により３方向から雄ネジ部と係合して採血用注射針を挟持しているため、使用時における採血針のぐらつきや脱落を防止する効果を奏する。
【図面の簡単な説明】
【００１１】
【図１】本考案が適用される採血用注射針の側面図及び正面図である。
【図２】（ａ），（ｂ）は本考案に係る取付部を備えた採血管ホルダーの分解斜視図及び組立斜視図である。
【図３】（ａ）〜（ｃ）は取付部のみを底面から見てミラー対称的に示す分解斜視図及び組立斜視図である。
【図４】（ａ），（ｂ）は、同採血管ホルダーの固定及び離脱状態を示す底面図、及びそれぞれの［イ］−［イ］線及び［ロ］−［ロ］における断面図である。
【考案を実施するための形態】
【００１２】
採血用注射針１（以下、単に採血針１という）は、図２（ａ），（ｂ）に示す採血管ホルダー１０に取り付けて使用される。採血管ホルダー１０のホルダー本体１１は、透明な熱可塑性樹脂成形体からなる一端開口した筒状体であり、その一端開口縁には小判形をなすフランジ１１ａが形成され、他端中央には採血針挿通孔１１ｂが形成されているとともに、挿通孔１１ｂの両側には、一対のガイド片１２が一体に立設され、このガイド片１２の間に採血針取付部２０が固定される。
【００１３】
採血針取付部２０は、各ガイド片１２の内側において前記ホルダー１０の端面に開口された係止孔１３に係合する係止爪３１を一体に突設した略小判形の固定部材３０と、固定部材３０における長手方向の両側端に形成されたガイド溝３２内に嵌合され、且つホルダー１０の端面の間に狭持状態に配置されて固定部材３０の長手方向に沿って移動可能な可動部材４０の２部品からなっている。
【００１４】
固定部材３０及び可動部材４０を構成する材料としては、ともにポリアセタール（ＰＯＭ）、ナイロンのごとき靱性の大きな樹脂材料、架橋ゴム、熱可塑性エラストマー、ポリプロピレン（ＰＰ）、ポリエチレン（ＰＥ）、ポリエチレンテレフタレート（ＰＥＴ）、ポリカーボネート（ＰＣ）、ＡＢＳ、ＰＶＣの中から適宜選択したものが用いられ、いずれも射出成形などによって図３（ａ）〜（ｃ）に示すような各部形状に形成されたものである。
【００１５】
図３において、固定部材３０の中央には、その上下方向を貫通した取付孔３３が形成されている。この取付孔３３の短軸の幅は、採血針１の雄ネジ部５の外径より僅かに大きく設定されている。また、前記ガイド溝３２の内底面には略半円筒状をなし、且つその内面が前記取付孔３３の各面のうちの３面を共有する面としたストッパーブロック３４が立設されており、その内面には前記雄ネジ部５に係合する係止突起３４ａが突設されている。この係止突起３４ａは、雄ネジ部５の螺旋形に対応した傾斜としている。また、固定部材３０における一方の側面部の内側には、半円弧状をした１対のストッパ用の係止用窪み３５，３６が形成されている。
【００１６】
これに対し、可動部材４０は、前記ガイド溝３２内で挿通され、外側からのプッシュ操作により交互に固定部材３０の外側に突出する左右一対の押ボタン部４１と、両押ボタン部４１を連結するばね兼用の一対の連結片４２と、一方の連結片４２の外側端部に突設され、押ボタン部４１のプッシュ操作による可動部材４０の移動に伴い前記係止用窪み３５，３６の何れかに嵌合する半円状の係止片４３とを備えている。
【００１７】
また、可動部材４０の略中心部分には採血針１の雄ネジ部５が挿入される孔部４４が形成されており、一方の押ボタン部４１側となる内面４４ａは、前記ストッパーブロック３４の外面形状に応じた円弧面となっている。また、孔部４４における他方の押ボタン部４１側の内面４４ｂは、固定部材３０に形成された取付孔３３のうちの３面に相当する形状であり、そのうちの左右の面には前記雄ネジ部５に係合する１対の係止突起４５が突設されている。この各係止突起４５も採血針１が装着された際に雄ネジ部５の螺旋形に対応した傾斜に形成されている。
【００１８】
そして、上述した採血針取付部２０の組立方法としては、固定部材３０に可動部材４０を嵌合した状態で、固定部材３０の係止爪３１をガイド片１２の内側の係止孔１３に嵌合することによって、図２（ｂ）に示すように、採血管ホルダー１０に装着されることになり、その組立及び採血管ホルダー１０に対する組み付け作業も極めて簡単となる。
【００１９】
また、以上において、図４（ａ）に示すように、採血針１の装着時においては、一方の押ボタン部４１を矢印方向への押圧動作により、他方の押ボタン部４１が固定部材３０の長手方向一端に突出するとともに、係止片４３がクリック音を発しつつ係止用窪み３５に入る。このとき、可動部材４０の内面４４ｂが固定部材３０のストッパーブロック３４側に近接することで、ストッパーブロック３４に形成された係止突起３４ａと可動部材４０の内面４４ｂに形成された各係止突起４５とが雄ネジ部５に対して３方向からの係合により略三角形状を成して取付孔３３から挿入された採血針１の雄ネジ部５の谷部に係合して強固に保持する。
【００２０】
また、この状態で採血が終了し、採血針１を廃棄する場合には、図４（ｂ）に示すように、他方の押ボタン部４１を図示の矢印方向である採血針１の装着時と逆方向へ押すことで、係止片４３がクリック音を発しつつ他方の係止用窪み３６内に入る。このとき、可動部材４０の内面４４ｂが固定部材３０のストッパーブロック３４側に離間することで、可動部材４０の内面４４ｂに形成された各係止突起４５が採血針１の雄ネジ部５の谷部から外れ、採血針１を脱落される。
【００２１】
ところで、上述した形態では、固定部材３０のストッパーブロック３４に１つの係合突起３４ａが、可動部材４０の孔部４４ｂに係合突起３４ａと対向するように一対の係合突起４５が形成された構成で説明したが、これに限定されることはなく、固定部材３０側に一対の係合突起を設け可動部材４０の孔部４４ｂに係合突起を１つ設けた構成でも同様の効果を奏する。
【００２２】
また、可動部材４０の移動によって各係合突起３４ａ、４５、４５が採血針１の雄ネジ部５に対して３方向から係合し、ホルダー本体１０の端面側から見たときの当該係合突起３４ａ、４５、４５の位置関係が略三角形状を成す位置で突設されていれば、固定部材３０、可動部材４０に形成する係合突起の配設位置は特に限定されない。
【００２３】
以上、本願考案における最良の形態について説明したが、この形態による記述及び図面により本考案が限定されることはない。すなわち、この形態に基づいて当業者等によりなされる他の形態、実施例及び運用技術等はすべて本考案の範疇に含まれることは勿論である。
【符号の説明】
【００２４】
１…採血用注射針（採血針）
２…採血針本体
３…ハブ
４…フランジ
５…雄ネジ部
１０…採血管ホルダー
１１…ホルダー本体（１１ａ…フランジ、１１ｂ…挿通孔）
１２…ガイド片
１３…係止孔  
２０…採血針取付部
３０…固定部材
３１…係止爪
３２…ガイド溝
３３…取付孔
３４…ストッパーブロック（３４ａ…係合突起）
３５、３６…係止用窪み
４０…可動部材
４１…押ボタン部
４２…連結片
４３…係止片
４４…孔部（４４ａ、４４ｂ…内面）
４５…係合突起
【図１】
0003150575.tif 000003
【図２】
0003150575.tif 000004
【図３】
0003150575.tif 000005
【図４】
0003150575.tif 000006